(57)【要約】【課題】安価な電気接続箱を提供する。【解決手段】電気接続箱１は箱本体２とカセットブロック３とを備えている。箱本体２は枠状の本体部と電気部品としてのヒューズ５を収容する部品取付部４を備えている。カセットブロック３は本体部内に収容されて箱本体２に取り付けられる。カセットブロック３が電線１２の端末に取り付けられた端子金具１３を収容する端子収容室９を備えている。箱本体２にカセットブロック３が取り付けられると、部品取付部４と端子収容室９とが連通する。端子金具１３はヒューズ５の端子１１と接続する。【選択図】図２
2010263732.tif 000002
【特許請求の範囲】
【請求項１】
枠状の本体部を有した箱本体と、
前記箱本体の前記本体部内に収容されて当該箱本体に取り付けられるカセットブロックとを備えた電気接続箱において、
前記カセットブロックが、電線の端末に取り付けられた端子金具を収容する端子収容室を備え、
前記箱本体が、前記本体部と一体に形成され、かつ当該箱本体に前記カセットブロックが取り付けられると前記端子収容室と連通するとともに、前記端子金具に接続する端子を備えた電気部品を収容する部品取付部を備えたことを特徴とする電気接続箱。
【発明の詳細な説明】
【技術分野】
【０００１】
本発明は、移動体としての自動車などに搭載される電気接続箱に関する。
【背景技術】
【０００２】
移動体としての自動車には、一般に、ヘッドランプ及びテールランプなどのランプ類、スタータモータ及びエアコンディショナ用のモータ等のモータ類、などの多種多様な電子機器が搭載されている。
【０００３】
前述した多種多様な電子機器に電力を供給するために、前記自動車は、ジャンクションブロックを適宜箇所に配置してきた。前記ジャンクションブロックは、多数のヒューズやリレー等の各種の電気回路ユニットを集約して構成されている。
【０００４】
なお、ジャンクションブロックは、ヒューズ、リレー、ブスバーなどを有することもあることから、ヒューズブロック、リレーボックス、又は総称して電気接続箱とも呼ばれる。本明細書では、前述したヒューズブロック、リレーボックス、ジャンクションブロックを、総称して以下電気接続箱（例えば、特許文献１参照）と呼ぶ。
【０００５】
電気接続箱は、外郭を形成する箱本体と、この箱本体に取り付けられるカセットブロックとを備えている。箱本体は、枠状の本体部と該本体部内の空間を仕切る隔壁とを有している。カセットブロックは、本体部内に収容されて前記箱本体に取り付けられる。カセットブロックは、その上面側にヒューズ、リレーなどの電気部品が取り付けられ、その下面側にワイヤハーネスの電線の端末に取り付けられた端子金具が取り付けられる。前述したヒューズ、リレーなどの電気部品と端子金具とは、前記カセットブロック内で互いに電気的、機械的に接続する。端子金具に取り付けられた電線は、前述した電子機器と接続している。
【０００６】
前述した構成の電気接続箱は、端子金具が取り付けられた電線と、前述したリレーやヒューズなどの電気部品とを予め定められるパターンにしたがって、電気的に接続する。
【先行技術文献】
【特許文献】
【０００７】
【特許文献１】特開２００４−３１２７９３号公報
【発明の概要】
【発明が解決しようとする課題】
【０００８】
前述した特許文献１に示された電気接続箱では、本体部が比較的単純な形状であるために、前記箱本体がＰＰＴ（ポリプロピレンとタルクの混合物）などの成型精度及び耐熱性が低くかつ変形しやすくて、端子金具を係止する係止ランスに適さない安価な材料で構成され、カセットブロックが前記端子金具を係止する係止ランスを前記端子金具を収容する端子収容室内に設けて比較的複雑な形状であるために、前記カセットブロックがポリアミド系の合成高分子物質などの成型精度及び耐熱性の高い変形し難い係止ランスに適した高価な材料で構成されている。
【０００９】
このように、前述した特許文献に示された従来の電気接続箱は、カセットブロック全体を高価な材料で構成するために、コストが高騰する傾向であった。
【００１０】
したがって、本発明の目的は、安価な電気接続箱を提供することにある。
【課題を解決するための手段】
【００１１】
前記課題を解決し目的を達成するために、本発明の電気接続箱は、枠状の本体部を有した箱本体と、前記箱本体の前記本体部内に収容されて当該箱本体に取り付けられるカセットブロックとを備えた電気接続箱において、前記カセットブロックが、電線の端末に取り付けられた端子金具を収容する端子収容室を備え、前記箱本体が、前記本体部と一体に形成され、かつ当該箱本体に前記カセットブロックが取り付けられると前記端子収容室と連通するとともに、前記端子金具に接続する端子を備えた電気部品を収容する部品取付部を備えたことを特徴としている。
【００１２】
本発明の電気接続箱によれば、従来カセットブロックに設けられていた電気部品を収容する部品収容部を箱本体に一体に設けたので、従来カセットブロックに用いられる高価な材料を削減でき、コストの高騰を防止することができる。
【発明の効果】
【００１３】
以上説明したように本発明は、従来カセットブロックに用いられる高価な材料を削減でき、さらに、従来カセットブロックに設けられていた電気部品を収容する部品収容部を箱本体に一体に設けたので、当該カセットブロックの厚みを削減でき、当該カセットブロックを成型するための金型のコストを削減できる。よって、電機接続箱のコストの高騰を防止することができる。
【図面の簡単な説明】
【００１４】
【図１】本発明の一実施形態に係る電気接続箱の一部の分解斜視図である。
【図２】図１に示された電気接続箱の一部の分解斜視図である。
【図３】図２に示された要部の正面を示す断面図である。
【図４】図３に示された箱本体やカセットブロックなどの要部の互いに組み付けられた状態の正面を示す断面図である。
【発明を実施するための形態】
【００１５】
以下、本発明の一実施形態にかかる電気接続箱を、図１ないし図４に基づいて説明する。本実施形態にかかる図１に示す電気接続箱１は、移動体としての自動車に搭載される。電気接続箱１は、図１乃至図３に示すように、箱本体２と、カセットブロック３とを備えている。
【００１６】
箱本体２は、ＰＰＴ（ポリプロピレンとタルクの混合物）などの比較的成型精度の低く低コストな絶縁性の合成樹脂からなり、周知の射出成形により成形される。なお、成型精度が低いとは、成型目的である形状からの寸法誤差が比較的大きなことを示す。箱本体２は、本体部６と、複数の隔壁７と、複数の部品取付部４とを一体に備えている。本体部６は、互いに端が連なる複数の外壁８により枠状（箱状）に形成されている。隔壁７は、本体部６を構成する外壁８の内面に連なっており、該本体部６内の空間を多数の空間に仕切っている。
【００１７】
部品取付部４は、四角筒状に形成され、かつ、本体部６の内側に配置されているとともに、外壁８や隔壁７の図１中の上端部に連なっている。部品取付部４は、電気部品としての図示しないリレーや図２に示すヒューズ５などを収容する。これらのリレーやヒューズ５は、図２及び図３に示すように、方体状の本体部１０と、この本体部１０から突出した複数の端子１１とを備えている（なお、図２乃至図４には、電気部品としての代表として、ヒューズ５を示している）。また、部品取付部４は、箱本体２にカセットブロック３が取り付けられると、図４に示すように、当該カセットブロック３に設けられた後述する端子収容室９と連通する位置に配置されている。
【００１８】
カセットブロック３は、複数設けられている。カセットブロック３は、各々、ポリアミド系の合成高分子物質などの比較的成型精度の高く高コストな絶縁性の合成樹脂からなり、周知の射出成形により成形される。なお、成型精度が高いとは、成型目的である形状からの寸法誤差が比較的小さなことを示す。また、カセットブロック３は、前述した隔壁７及び外壁８で囲まれる空間内に収容可能な大きさの箱状に形成されている。カセットブロック３は、前述した空間の図１中の下方側の開口を通して、これらの空間内に挿入されて、箱本体２の本体部６内に収容されて、当該箱本体２に取り付けられる。
【００１９】
カセットブロック３には、図１、図２及び図３に示すように、複数の端子収容室９が設けられている。端子収容室９は、カセットブロック３内に設けられた直線状の空間である。端子収容室９の長手方向は、互いに平行に設けられ、カセットブロック３が前述した空間内に挿入される方向と平行である。端子収容室９の図１、図２及び図３中の上下に位置する両端は、開口している。また、端子収容室９は、カセットブロック３が箱本体２に取り付けられると、部品取付部４と連通する。
【００２０】
端子収容室９は、電線１２（図２及び図３に示す）の端末に取り付けられた端子金具１３（図２及び図３に示す）を収容する。（なお、図２乃至図４には、図中右側の端子収容室９内の端子金具１３を省略している）。端子収容室９は、図２及び図３中の下方側の端から前述した端子金具１３が収容される。端子収容室９内には、図２及び図３に示すように、前述した端子金具１３の外面と係止して、当該端子金具１３が端子収容室９から抜け出ることを規制する係止ランス１４が設けられている。
【００２１】
端子金具１３は、図２及び図３に示すように、導電性の板金などで構成され、かつ、前述した電線１２と接続される電線接続部１５と、この電線接続部１５に連なる電気接触部１６とを備えている。電線接続部１５は、前述した電線１２の端末で露出する芯線１７及び被覆部１８を加締める加締め片１９を備えている。電気接触部１６は、互いの間にヒューズ５などの電気部品の端子１１を挟み込む一対の弾性接触片２０を備えている。即ち、端子金具１３は、前述した電線１２とリレーやヒューズ５などの電気部品とを互いに電気的に接続する。
【００２２】
前述した構成の電気接続箱１は、以下のように組み立てられる。まず、各端子金具１３に電線１２が取り付けられる。そして、端子金具１３は、前述した開口を通して端子収容室９内に挿入されて、係止ランス１４が係止して、端子収容室９内に収容される。その後、カセットブロック３が前述した空間内に挿入されて、該カセットブロック３が箱本体２に取り付けられる。すると、図４に示すように、部品取付部４とカセットブロック３とが密に接触して、部品取付部４と端子収容室９とが連通する。その後、各部品取付部４にリレー、ヒューズ５、ヒュージブルリンクなどの所望の電気部品が装着されて、これらの端子１１が端子金具１３の電気接触部１６と機械的及び電気的に接続する。
【００２３】
電気接続箱１は、図示しない防水ケース内に収容されて、自動車の車体を構成するパネルなどに固定される。前述した電線１２は、自動車などに搭載される多種多様な電子機器と接続される。こうして、電気接続箱１は、前述した自動車などに搭載されて、この自動車に搭載される多種多様な電子機器と、前述したヒューズ５などの各種の電気部品とを予め定められるパターンにしたがって電気的に接続する。
【００２４】
本実施形態によれば、従来カセットブロックに設けられていた電気部品としてのヒューズ５を収容する部品取付部４を箱本体２に一体に設けたので、従来カセットブロックに用いられる高価な材料を削減できる。さらに、従来カセットブロックに設けられていた電気部品としてのヒューズ５を収容する部品取付部４を箱本体２に一体に設けたので、当該カセットブロック３の厚みを削減でき、当該カセットブロック３を成型するための金型の各型の移動量及び大きさを抑制して、当該金型のコストを削減できる。よって、電機接続箱１のコストの高騰を防止することができる。
【００２５】
また、前述した図２乃至図４では、電気部品としてのヒューズ５を示している。しかしながら、本発明では、ヒューズ５に限らず、リレーやヒュージブルリンクなどの所望の電気部品を部品取付部４に取り付けるようにしても良い。
【００２６】
なお、前述した実施形態は、本発明の代表的な形態を示したに過ぎず、本発明は、実施形態に限定されるものではない。即ち、本発明の骨子を逸脱しない範囲で種々変形して実施することができる。
【符号の説明】
【００２７】
１  電気接続箱
２  箱本体
３  カセットブロック
４  部品取付部
５  ヒューズ（電気部品）
６  本体部
９  端子収容室
１１  端子
１２  電線
１３  端子金具
【図１】
2010263732.tif 000003
【図２】
2010263732.tif 000004
【図３】
2010263732.tif 000005
【図４】
2010263732.tif 000006